(57)【要約】【課題】筐体の前面に透光性パネル部材が取り付けられた電子機器において、透光性パネル部材の樹脂成型性を改善し、透光性パネル部材に発生するウエルドラインを抑制する。【解決手段】本発明に係る電子機器においては、筐体１の内部に光学素子６が配備されると共に、筐体１の前面に透光性パネル部材３が取り付けられ、該透光性パネル部材３には、光学素子６へ光線を導入し若しくは光学素子６から発せられる光線を透過させるための透光部31が設けられている。ここで、透光性パネル部材３の透光部31は、透光性パネル部材３の平均厚さよりも小さな厚さを有する薄肉部によって構成されている。【選択図】図５
2011182036.tif 000002
【特許請求の範囲】
【請求項１】
筐体の内部に光学素子が配備されると共に、筐体の前面に透光性パネル部材が取り付けられ、該透光性パネル部材には、前記光学素子へ光線を導入し若しくは光学素子から発せられる光線を透過させるための透光部が設けられている電子機器において、前記透光性パネル部材の透光部は、透光性パネル部材の平均厚さよりも小さな厚さを有する薄肉部によって構成されていることを特徴とする電子機器。
【請求項２】
前記透光性パネル部材は、着色された合成樹脂の一体成型品である請求項１に記載の電子機器。
【請求項３】
前記透光性パネル部材の透光部は、透光性パネル部材の背面に凹部を形成して構成され、該凹部と前記光学素子との間には、導光部材が配置され、該導光部材の先端部が透光性パネル部材の凹部に侵入している請求項１又は請求項２に記載の電子機器。
【発明の詳細な説明】
【技術分野】
【０００１】
本発明は、テレビジョン受像機等の電子機器に関するものである。
【背景技術】
【０００２】
一般にテレビジョン受像機等の電子機器においては、ＬＥＤや受光素子等の光学素子を内蔵して、光学素子から発せられる光線によってユーザに何らかの情報を提示したり、ユーザからの赤外線リモートコントロール信号を光学素子により受信して何らかの制御を行なうことが行なわれている(特許文献１参照)。
【０００３】
例えば図６に示すテレビジョン受像機においては、フロントキャビネット(12)とバックキャビネット(13)からなる筐体(10)の内部に、例えば電源投入時に点灯するＬＥＤ等の光学素子(６)が配備されている。
フロントキャビネット(12)の前面には、着色された合成樹脂製の透光性パネル部材(４)が取り付けられており、筐体(10)に対して装飾的効果が与えられている。
【０００４】
又、筐体(10)の内部には、光学素子(６)と透光性パネル部材(４)の間に、フロントキャビネット(12)の貫通孔(14)を貫通させて、導光部材(５)が設置されており、該導光部材(５)の先端部は、透光性パネル部材(４)に開設された貫通孔(41)に侵入している。
【０００５】
上記テレビジョン受像機においては、光学素子(６)が点灯すると、該光学素子(６)から発せられた光線が導光部材(５)を透過して、透光性パネル部材(４)の貫通孔(41)から前方へ出射される。
【先行技術文献】
【特許文献】
【０００６】
【特許文献１】特開２００１−５７４８３号公報
【発明の概要】
【発明が解決しようとする課題】
【０００７】
しかしながら、図６に示すテレビジョン受像機においては、透光性パネル部材(４)に貫通孔(41)が開設されているため、透光性パネル部材(４)を合成樹脂によって一体成型する際、樹脂の成型性が悪く、所謂ウエルドラインが発生して、透光性パネル部材(４)の外観が悪くなる問題があった。
そこで本発明の目的は、筐体の前面に透光性パネル部材が取り付けられた電子機器において、透光性パネル部材の樹脂成型性を改善し、透光性パネル部材に発生するウエルドラインを抑制することである。
【課題を解決するための手段】
【０００８】
本発明に係る電子機器においては、筐体(１)の内部に光学素子(６)が配備されると共に、筐体(１)の前面に透光性パネル部材(３)が取り付けられ、該透光性パネル部材(３)には、前記光学素子(６)へ光線を導入し若しくは光学素子(６)から発せられる光線を透過させるための透光部(31)が設けられている電子機器において、前記透光性パネル部材(３)の透光部(31)は、透光性パネル部材(３)の平均厚さよりも小さな厚さを有する薄肉部によって構成されている。
【０００９】
具体的態様において、前記透光性パネル部材(３)は、着色された合成樹脂の一体成型品である。
【００１０】
上記本発明の電子機器においては、光学素子(６)から発せられた光線が透光性パネル部材(３)の透光部(31)を透過して筐体(１)の前方へ出射され、或いは、筐体(１)の外部から透光性パネル部材(３)の透光部(31)へ向けて出射された光線が透光部(31)を透過して光学素子(６)に入射する。
ここで透光性パネル部材(３)の透光部(31)は、透光性パネル部材(３)の平均厚さよりも小さな厚さを有する薄肉部によって構成されているので、光線は、透光性パネル部材(３)の透光部(31)を大きく減衰することなく透過する。
【００１１】
更に具体的な態様において、前記透光性パネル部材(３)の透光部(31)は、透光性パネル部材(３)の背面に凹部(32)を形成して構成され、該凹部(32)と前記光学素子(６)との間には、導光部材(５)が配置され、該導光部材(５)の先端部が透光性パネル部材(３)の凹部(32)に侵入している。
【００１２】
該具体的態様によれば、光学素子(６)から発せられた光線が導光部材(５)を透過し、更に透光性パネル部材(３)の透光部(31)を透過して筐体(１)の前方へ出射され、或いは、筐体(１)の外部から透光性パネル部材(３)の透光部(31)へ向けて出射された光線が導光部材(５)を透過し、更に透光性パネル部材(３)の透光部(31)を透過して光学素子(６)に入射する。
【発明の効果】
【００１３】
本発明に係る電子機器によれば、透光性パネル部材(３)の透光部(31)が薄肉部によって構成されているので、透光部が貫通孔によって構成されていた従来の電子機器と比較して、透光性パネル部材(３)の樹脂成型性が良好で、透光性パネル部材(３)に発生するウエルドラインが抑制される。
【図面の簡単な説明】
【００１４】
【図１】図１は、本発明の一実施形態であるテレビジョン受像機の斜視図である。
【図２】図２は、該テレビジョン受像機において筐体から透光性パネル部材を取り外した状態を示す斜視図である。
【図３】図３は、透光性パネル部材の要部を示す正面図である。
【図４】図４は、透光性パネル部材の要部を示す背面図である。
【図５】図５は、該テレビジョン受像機の要部を示す断面図である。
【図６】図６は、従来のテレビジョン受像機の要部を示す断面図である。
【発明を実施するための形態】
【００１５】
以下、本発明をテレビジョン受像機に実施した形態につき、図面に沿って具体的に説明する。
本発明の一実施形態であるテレビジョン受像機は、図１及び図２に示す如く、表示画面(11)を具えた筐体(１)の下辺部を覆って、着色された合成樹脂製の透光性パネル部材(３)が取り付けられており、これによって筐体(１)に意匠的効果が与えられている。
筐体(１)の底部には、左右一対のスピーカ(２)(２)が配備されている。
【００１６】
透光性パネル部材(３)には３つの透光部(31)(31)(31)が設けられており、これら３つの透光部(31)(31)(31)によって、明るさの検知と、電源オン時の点灯表示と、赤外線リモートコントロール信号の受信とが可能となっている。
【００１７】
透光性パネル部材(３)の３つの透光部(31)(31)(31)はそれぞれ、図３及び図４に示す様に、透光性パネル部材(３)の背面に凹部(32)を形成して構成され、各透光部(31)の厚さを透光性パネル部材(３)の平均厚さよりも小さくすることによって十分な透光性を実現している。
【００１８】
例えば、電源オン時の点灯表示のために、図５に示す様に、筐体(１)の内部には、透光性パネル部材(３)の１つの透光部(31)と対向させて、ＬＥＤからなる光学素子(６)が設置されており、該光学素子(６)と透光性パネル部材(３)の１つの透光部(31)との間には、フロントキャビネット(12)の貫通孔(14)を貫通させて、導光部材(５)が設置されている。
ここで、導光部材(５)の先端部は、透光性パネル部材(３)の凹部(32)に侵入している。
【００１９】
明るさの検知や赤外線リモートコントロール信号の受信のための構成も、図５に示す点灯表示のための構成と同様である。
【００２０】
上記テレビジョン受像機によれば、透光性パネル部材(３)の透光部(31)が薄肉部によって構成されているので、透光部が貫通孔によって構成されていた従来の電子機器と比較して、透光性パネル部材(３)の樹脂成型性が良好で、透光性パネル部材(３)に発生するウエルドラインが抑制される。
【００２１】
尚、本発明の各部構成は上記実施の形態に限らず、特許請求の範囲に記載の技術的範囲内で種々の変形が可能である。又、本発明は、テレビジョン受像機に限らず、種々の電子機器に実施することが出来る。
【符号の説明】
【００２２】
(１)  筐体
(11)  表示画面
(12)  フロントキャビネット
(13)  バックキャビネット
(14)  貫通孔
(３)  透光性パネル部材
(31)  透光部
(32)  凹部
(５)  導光部材
(６)  光学素子
【図１】
2011182036.tif 000003
【図２】
2011182036.tif 000004
【図３】
2011182036.tif 000005
【図４】
2011182036.tif 000006
【図５】
2011182036.tif 000007
【図６】
2011182036.tif 000008